(57)【要約】      （修正有）【課題】給水側ホースの経年劣化を極力防止するホース収納装置を提供する。【解決手段】ホース収納装置１は、本体２内に設けられ、散水側ホース３２を収納するメイン収納部１０と、本体２の外側に設けられ、給水側ホース３１を収納するサブ収納部１５と、本体２に取り付けされ、サブ収納部１５に収納された給水側ホース３１を覆うカバー２０とを備えている。【選択図】図４
0003225597.tif 000002
【実用新案登録請求の範囲】
【請求項１】
本体内に設けられ、散水側ホースを収納するメイン収納部と、
前記本体の外側に設けられ、給水側ホースを収納するサブ収納部と、
前記本体に取り付けされ、前記サブ収納部に収納された前記給水側ホースを覆うカバーとを備えたことを特徴とするホース収納装置。
【請求項２】
前記カバーは、前記本体に着脱自在に取り付けられていることを特徴とする請求項１に記載のホース収納装置。
【請求項３】
前記カバーは、前記本体の複数の係止孔にそれぞれ係止する複数の係止爪を有し、前記各係止爪は、弾性変形によって前記各係止孔より係止解除する係止解除位置と弾性復帰変形によって前記各係止孔に係止する係止位置との間に変移自在に設けられたことを特徴とする請求項２に記載のホース収納装置。
【請求項４】
前記サブ収納部は、前記給水側ホースを巻き取る複数のホースフック部を有し、前記各ホースフック部に前記各係止孔が設けられていることを特徴とする請求項３に記載のホース収納装置。
【考案の詳細な説明】
【技術分野】
【０００１】
本考案は、ホース収納装置に関する。
【背景技術】
【０００２】
従来、散水側ホースと給水側ホースを収納できるホース収納装置が提案されている（特許文献１参照）。このホース収納装置の一例として、本体内に散水側ホースを巻取って収納するメイン収納部を有し、本体の外側に給水側ホースを収納するサブ収納部とを有するものがある。
【先行技術文献】
【特許文献】
【０００３】
【特許文献１】特開２０１５−１２４０４２号公報
【考案の開示】
【考案が解決しようとする課題】
【０００４】
しかしながら、上記したホース収納装置では、給水側ホースが本体の外側に露出した状態で収納されるので、直射日光に当たるため経年劣化が早いという問題があった。
【０００５】
そこで、本考案は、このような従来のホースリールにおける問題点に鑑みてなされたものであり、給水側ホースの経年劣化を極力防止するホース収納装置を提供することを目的とする。
【課題を解決するための手段】
【０００６】
上記の目的を達成するため、本考案は、本体内に設けられ、散水側ホースを収納するメイン収納部と、前記本体の外側に設けられ、給水側ホースを収納するサブ収納部と、前記本体に取り付けされ、前記サブ収納部に収納された前記給水側ホースを覆うカバーとを備えたことを特徴とするホース収納装置を提供する。
【０００７】
前記カバーは、前記本体に着脱自在に取り付けられていることが好ましい。
【０００８】
前記カバーは、前記本体の複数の係止孔にそれぞれ係止する複数の係止爪を有し、前記各係止爪は、弾性変形によって前記各係止孔より係止解除する係止解除位置と弾性復帰変形によって前記各係止孔に係止する係止位置との間に変移自在に設けられることが好ましい。
【０００９】
前記サブ収納部は、前記給水側ホースを巻き取る複数のホースフック部を有し、前記各ホースフック部に前記各係止孔が設けられていることが好ましい。
【考案の効果】
【００１０】
本考案にかかるホース収納装置においては、給水側ホースに直射日光が当たるのをカバーが阻止するため、給水側ホースの経年劣化を極力防止するホース収納装置を提供できる。
【図面の簡単な説明】
【００１１】
【図１】ホース収納装置の分解斜視図である。
【図２】ホース収納装置のカバーを示し、（ａ）はカバーの内面図、（ｂ）は（ａ）のＡ−Ａ線断面図、（ｃ）は（ｂ）の要部拡大図である。
【図３】ホース収納装置のカバーの取り外し作業を説明する斜視図である。
【図４】ホース収納装置のカバーの取り外し作業を説明する斜視図である。
【図５】ホース収納装置のカバーの取り付け作業を説明する斜視図である。
【考案を実施するための形態】
【００１２】
以下、図面を参照しながら本考案のホース収納装置の実施形態を詳細に説明する。
図１〜図５において、図面の寸法比率は説明の都合上誇張されており、実際の比率と異なる場合がある。
【００１３】
本実施形態にかかるホース収納装置１は、本体２と、本体２内に設けられたメイン収納部１０と、本体２の外側に設けられたサブ収納部１５と、サブ収納部１５を覆うカバー２０とを備えている。
【００１４】
本体２は、ほぼ立方体状の枠体であり、一対の側壁部３、下壁部（図示せず）、上壁部５、前壁部６及び後壁部（図示せず）を有する。一方の側壁部３には、給水側ホース３１用の引出口３ａが開口されている。前壁部６には、散水側ホース３２用の引出口６ａが開口されている。
【００１５】
メイン収納部１０は、一対の側壁部３の間に回転自在に支持されたドラム１１（図３．図４に示す）を有する。ドラム１１は、円筒状の胴部（図示せず）と、胴部（図示せず）の両端に設けられた一対のフランジ部１１ｂを有する。ドラム１１は、本体２の外側に設けられたハンドル（図示せず）によって回転可能に設けられている。ドラム１１に散水側ホース３２の一端が固定されている。
【００１６】
ドラム１１の回転によって、散水側ホース３２をドラム１１に巻取り、又、ドラム１１に巻き取られた散水側ホース３２を外部に送り出すことができる。散水側ホース３２の一端は、下記する回転継ぎ手手段３３に連結されている。散水側ホース３２の他端側は、前壁部６の引出口６ａより外部に引き出し可能である。散水側ホース３２の他端には、散水口ノズル（図示せず）が取り付けられている。
【００１７】
サブ収納部１５は、一方の側壁部３の外側に設けられた複数のホースフック部１６を有する。この実施形態では、ホースフック部１６は、４つである。複数のホースフック部１６は、側壁部３の引出口３ａの外周に沿って等間隔に配置されている。各ホースフック部１６は、半径方向の外側に向かってフック先端側が折曲されている。
【００１８】
給水側ホース３１の一端側は、側壁部３の引出口３ａ内に配置された回転継ぎ手手段３３に連結されている。回転継ぎ手手段３３は、給水側ホース３１の一端側がドラム１１の回転位置に係わらず散水側ホース３２の一端側に連通するよう構成されている。給水側ホース３１は、側壁部３の引出口３ａより本体２の外部に導き出されている。給水側ホース３１の他端には、給水口器具３１ａが取り付けられている。給水口器具３１ａによって給水側ホース３１が例えば水道水の蛇口（図示せず）に連結される。
【００１９】
給水側ホース３１は、複数のホースフック部１６に掛け回すことによってサブ収納部１５に収納される。サブ収納部１５に収納された給水側ホース３１は、複数のホースフック部１６への引っ掛けを外すことによって延ばすことができる。
【００２０】
カバー２０は、本体２の側壁部３とほぼ同じ形状及び大きさで、ほぼ板状の部材である。カバー２０は、遮光性の高い部材（例えば非透明部材）より形成されている。カバー２０は、紫外線の吸収能力の高い材料を含んでもよい。カバー２０は、サブ収納部１５側の側壁部３に着脱自在に取り付けられている。
【００２１】
このような着脱自在な構成を実現するために、カバー２０の各ホースフック部１６に設けられた複数の係止孔４１及び位置決め孔４２と、カバー２０の内面側に設けられた複数の係止爪４３及び位置決めロッド４４とが、設けられる。この実施形態では、係止孔４１及び位置決め孔４２と、係止爪４３及び位置決めロッド４４の数は、それぞれ４つである。
【００２２】
各係止爪４３は、弾性変形によって各係止孔４１より係止解除する係止解除位置と弾性復帰変形によって各係止孔４１に係止する係止位置との間で変移自在に設けられている。各係止爪４３には操作部４５がそれぞれ設けられている。
【００２３】
使用者が操作部４５をカバー２０の内面に近接させる方向ｆ１（図２（ｃ）、図３に示す）に押圧すると、係止爪４３が図２（ｃ）のａ矢印方向に弾性変形して係止解除位置に変移する。使用者が操作部４５の押圧力を解除すると、係止爪４３が弾性復帰変形して係止位置に変移する。
【００２４】
カバー２０が本体２に取り付けされた状態では、カバー２０と本体２の一方の側壁部３との間には全周に亘って隙間が形成される。この隙間は、給水側ホース３１を引き出したり、収納したりすることができる大きさである。
【００２５】
次に、カバー２０の取り外し、取り付け作業を説明する。カバー２０の取り外しは、図３（ａ）に示すように、使用者が本体２の側壁部３とカバー２０の間の隙間に手を挿入し、上方の２箇所の操作部４５を押圧して２箇所の係止爪４３を同時に解除する。そして、図３（ｂ）に示すように、カバー２０の上方側を本体２より外す。次に、上記と同様にして下方の２箇所の操作部４５を押圧して２箇所の係止爪４３を同時に解除する。そして、図４に示すように、カバー２０の下方側を外せば完了する。
【００２６】
カバー２０の取り付けは、図５に示すように、カバー２０の４箇所の係止爪４３及び位置決めロッド４４を本体２の４箇所の係止孔４１及び位置決め孔４２に位置合わせし、カバー２０を本体２に近づける。すると、パチンという音と共に全ての係止爪４３が全ての係止孔４１に係止され、且つ、全ての位置決めロッド４４が位置決め孔４２に入り込む。これで完了する。
【００２７】
以上説明したように、ホース収納装置１は、本体２内に設けられ、散水側ホース３２を収納するメイン収納部１０と、本体２の外側に設けられ、給水側ホース３１を収納するサブ収納部１５と、本体２に取り付けされ、サブ収納部１５に収納された給水側ホース３１を覆うカバー２０とを備えている。
【００２８】
従って、サブ収納部１５に収納された給水側ホース３１に直射日光（紫外線を含む）が当たるのをカバー２０が阻止するため、給水側ホース３１の経年劣化を極力防止できる。サブ収納部１５がカバー２０で覆われるため、外観が良い。
【００２９】
カバー２０は、本体２に着脱自在に取り付けられている。従って、使用者は、カバー２０を容易に着脱できるため、メンテナンスが容易である。又、使用者は、カバー２０を取り付けた状態でもカバー２０を取り外した状態でも散水作業ができ、使い勝手が良い。
【００３０】
カバー２０は、本体２の複数の係止孔４１にそれぞれ係止する複数の係止爪４３を有し、各係止爪４３は、弾性変形によって各係止孔４１より係止解除する係止解除位置と弾性復帰変形によって各係止孔４１に係止する係止位置との間に変移自在に設けられている。
【００３１】
従って、使用者が係止爪４３を係止孔４１から意図的に外さない限り、カバー２０が本体２から脱落することがない。
【００３２】
サブ収納部１５は、散水側ホース３２を巻き取る複数のホースフック部１６を有し、各ホースフック部１６に各係止孔４１が設けられている。従って、係止孔４１を設ける専用部品を別途設ける必要がないため、部品点数の削減になる。
【００３３】
この実施形態では、カバー２０が本体２に着脱自在に取り付けされているが、カバー２０が本体２に容易に着脱できないように取り付けてもよい。この場合には、この実施形態にように、本体２とカバー２０の間に隙間が形成される構成とする必要がある。
【００３４】
この実施形態では、カバー２０が本体２に着脱自在な構成であって、本体２とカバー２０の間に隙間が形成されるが、カバー２０が本体２に着脱自在な構成であって、隙間ができないカバー２０の構造としてもよい。この場合には、サブ収納部１５に収納された給水側ホース３１に直射日光（紫外線を含む）が当たるのをより完全にカバー２０が阻止するため、給水側ホース３１の経年劣化を更に防止できる。サブ収納部１５がカバー２０で完全に覆われるため、外観が更に良くなる。
【００３５】
この実施形態では、係止爪４３と係止孔４１との係合状態を離脱可能とすることで、カバー２０が本体２に着脱自在な構成を実現しているが、本体２とカバー２０をヒンジを介して連結した構成でもよいし、本体２に対しカバー２０がスライド移動する構成でもよい。
【００３６】
この実施形態では、カバー２０側に係止爪４３を、本体２側に係止孔４１を有する構成であるが、カバー２０側に係止孔４１を、本体２側に係止爪４３を有する構成でもよい。
【００３７】
この実施形態では、カバー２０のホースフック部１６は、４つであるが、複数個であればよい。又、全てのホースフック部１６に係止孔４１及び位置決め孔４２を設けているが、ホースフック部１６の個数が多い場合には、その一部にのみ係止孔４１及び位置決め孔４２を設けてもよい。
【００３８】
以上、本実施形態を説明したが、本実施形態はこれらに限定されるものではなく、本実施形態の要旨の範囲内で種々の変更が可能である。
【符号の説明】
【００３９】
１  ホース収納装置
２  本体
１０  メイン収納部
１５  サブ収納部
１６  ホースフック部
２０  カバー
３１  給水側ホース
３２  散水側ホース
４１  係止孔
４３  係止爪
【図１】
0003225597.tif 000003
【図２】
0003225597.tif 000004
【図３】
0003225597.tif 000005
【図４】
0003225597.tif 000006
【図５】
0003225597.tif 000007